(57)【要約】【課題】極めて簡単な構造で、簡単かつ容易に、しかも接触不良を極減する状態で複数のプリント基板を物理的に連結しながら電気的に接続する。【解決手段】照明は、複数のプリント基板２を物理的に連結すると共に、固定している発光ダイオード１を発光させるように電気的に接続している。プリント基板２は、止具３を挿通する貫通孔４を開口しており、この貫通孔４の周囲に貫通孔４の内面から絶縁して接続導電部５を両面に設けている。発光ダイオード１を固定しているプリント基板２は、表面のリード導電部６を介して、一対の接続導電部５から発光ダイオード１に電力を供給する。複数のプリント基板２は、貫通孔４が一致するように積層して、対向して接触される接続導電部５を電気接続し、貫通孔４に挿通される導電性のある止具３で積層状態のプリント基板２を連結し、止具３の両端を表面側の接続導電部５に接触させて電気接続する。【選択図】図６
2006024416.tif 000002
【特許請求の範囲】
【請求項１】
発光ダイオード(1)を備える複数のプリント基板(2)、または発光ダイオード(1)を備えるプリント基板(2)と発光ダイオードを装着しないプリント基板(2)とを備えており、
複数のプリント基板(2)は互いに物理的に連結されると共に、連結されるプリント基板(2)に固定している発光ダイオード(1)を発光させるように電気的に接続している照明であって、
プリント基板(2)は、止具(3)を挿通する貫通孔(4)を開口すると共に、この貫通孔(4)の周囲に接続導電部(5)を設けており、
接続導電部(5)はプリント基板(2)の両面に設けられて、一方又は両方の接続導電部(5)を貫通孔(4)の内面から絶縁して配置しており、
さらに、発光ダイオード(1)を固定しているプリント基板(2)は、両面に設けている一対の接続導電部(5)を、表面に設けているリード導電部(6)を介して、発光ダイオード(1)の一対の接続端子に接続して、一対の接続導電部(5)から発光ダイオード(1)に電力を供給するようにしており、
複数のプリント基板(2)を、貫通孔(4)を一致するように積層して、対向して接触される接続導電部(5)を電気接続し、さらに、貫通孔(4)に導電性のある止具(3)を挿通して、止具(3)で積層状態のプリント基板(2)を連結すると共に、止具(3)の両端をプリント基板(2)の表面に設けている接続導電部(5)に接触させて、止具(3)でプリント基板(2)の表面側の接続導電部(5)を電気接続するようにしてなる照明。
【請求項２】
プリント基板(2)が発光ダイオード(1)を固定している発光用のプリント基板(2)と、発光ダイオード(1)を固定しない連結用のプリント基板(2)とからなり、発光ダイオード(1)を固定しているプリント基板(2)を、発光ダイオード(1)を固定していない連結用のプリント基板(2)で連結している請求項１に記載される照明。
【請求項３】
発光ダイオード(1)を備えるプリント基板(2)に複数の発光ダイオード(1)を固定している請求項１に記載される照明。
【請求項４】
止具(3)が、止ネジ(3A)と、この止ネジ(3A)にねじ込まれるナット(3B)である請求項１に記載される照明。
【請求項５】
照明が、複数のプリント基板(2)を文字や図形等の表示形状に配置している看板である請求項１に記載される照明。
【請求項６】
照明が、複数のプリント基板(2)を連結している装飾用の照明である請求項１に記載される照明。
【請求項７】
複数のプリント基板(2)を物理的に連結して、接続導電部(5)を介して複数のプリント基板(2)を並列に接続している請求項１に記載される照明。
【請求項８】
プリント基板(2)の両面に設けている接続導電部(5)を貫通孔(4)の周囲から絶縁して配置している請求項１に記載される照明。
【請求項９】
２枚のプリント基板(2)を積層して物理的に連結すると共に、一対の接続導電部(5)を電気的に接続している請求項１に記載される照明。
【発明の詳細な説明】
【技術分野】
【０００１】
本発明は、発光ダイオードをプリント基板に固定している照明に関する。
【背景技術】
【０００２】
発光ダイオードの照明は、フィラメントのある電球等を使用する照明に比較して、極めて長寿命であるからメンテナンスを簡単にできる特徴がある。ただ、発光ダイオードは１個の輝度が小さいために、多数の発光ダイオードを設けて、全体の輝度を高くする必要がある。多数の発光ダイオードを備える照明は、発光ダイオードをプリント基板に固定して配線を簡素化できる。さらに、多数のプリント基板を連結して、種々の形状や発光輝度の照明を実現できる。このことから、発光ダイオードの照明は、多数のプリント基板を連結する必要がある。
【０００３】
発光ダイオードを固定しているプリント基板は、物理的に連結し、また電気的にも接続する必要がある。従来は、プリント基板をネジ等を使用して物理的に連結し、コネクタとリード線を介して電気的に接続している。この構造は、電気的な接続にコネクタとリード線を使用するので、多数のプリント基板を連結するためには、多数のコネクタと長いリード線を必要とする。また、コネクタとリード線を使用するので、連結のための部品コストが高くなる欠点もある。さらに、リード線の端部にコネクタを接続するので、製造に著しく手間がかかる欠点もある。さらに、コネクタは、金属の弾性で接点を電気的に接続するので、長年使用されると接触不良を起こしやすい欠点がある。とくに、屋外の悪い環境で使用されると、接触不良を起こしやすくなる。
【０００４】
プリント基板を簡単に連結する構造は、物理的に連結すると電気的にも接続される構造で解消できる。このことを実現する連結構造は開発されている（特許文献１及び２参照）。
【特許文献１】特開２００２−１１７７０７号公報
【特許文献２】特開２００２−１４１５５５号公報
【発明の開示】
【発明が解決しようとする課題】
【０００５】
特許文献１の公報に記載されるプリント基板の連結構造は、図１の断面図に示すように、発光ダイオード２１のリード２１Ａを２枚のプリント基板２２に貫通し、これをプリント基板２２に半田付して連結する。この構造は、発光ダイオード２１のリード２１Ａで、２枚のプリント基板２２を物理的に連結しながら、電気的にも接続できる。ただ、この接続構造は、細いリード２１Ａを介して２枚のプリント基板２２を物理的に連結するので、しっかりと強靭な構造で連結できない欠点がある。このため、大きなプリント基板をしっかりと連結できない欠点がある。
【０００６】
特許文献２の公報に記載される照明は、互いにプリント基板を連結するものではない。ただ、この公報は、図２と図３に示すように、プリント基板３２を内蔵する照明３０を器具に物理的に連結しながら電気的に接続する連結構造を記載している。この公報に記載される照明３０は、細長管３３内に設置されるプリント基板３２と、このプリント基板３２の上面側に長手方向に沿って所定間隔をおいて配設される多数のＬＥＤ３１とを設け、細長管３３の両端に一対のブッシング３４を取付けている。ブッシング３４は、プリント基板３２を細長管３３内に固定し、口金具３５を保持している。口金具３５は、ブッシング３４の取付筒部の外周に圧入される金属製胴体３５Ａと、電源回路部に電気的に接続する１本の電極ピン３５Ｂと、金属製胴体３５Ａの開口端縁に固定され、電極ピン３５Ｂを支持する絶縁物からなる絶縁円板３５Ｃとを有している。
【０００７】
この照明３０は、口金具３５を受具（図示せず）に挿入して、物理的に受具に連結され、また、電気的にも接続される。この構造は、連結部の構造が極めて複雑な形状となるばかりでなく、大きくなるので、多数のプリント基板をコンパクトな構造で連結できない。また、連結方向が特定されるので、プリント基板を種々な方向には連結できない欠点もある。また、長期間にわたって接触不良が起こらないようにできない欠点もある。
【０００８】
本発明は、この欠点を解決することを目的に開発されたものである。本発明の重要な目的は、極めて簡単な構造で、簡単かつ容易に、しかも接触不良を極減する状態で複数のプリント基板を物理的に連結しながら電気的に接続できる照明を提供することにある。
【課題を解決するための手段】
【０００９】
本発明の照明は、発光ダイオード１を備える複数のプリント基板２、または発光ダイオード１を備えるプリント基板２と発光ダイオードを装着しないプリント基板２とを備えている。複数のプリント基板２は、互いに物理的に連結されると共に、連結されるプリント基板２に固定している発光ダイオード１を発光させるように電気的に接続している。プリント基板２は、止具３を挿通する貫通孔４を開口すると共に、この貫通孔４の周囲に接続導電部５を設けている。接続導電部５は、プリント基板２の両面に設けられて、一方又は両方の接続導電部５を貫通孔４の内面から絶縁して配置している。さらに、発光ダイオード１を固定しているプリント基板２は、両面に設けている一対の接続導電部５を、表面に設けているリード導電部６を介して、発光ダイオード１の一対の接続端子に接続して、一対の接続導電部５から発光ダイオード１に電力を供給するようにしている。この照明は、複数のプリント基板２を、貫通孔４が一致するように積層して、対向して接触される接続導電部５を電気接続し、さらに、貫通孔４に導電性のある止具３を挿通して、止具３で積層状態にプリント基板２を連結すると共に、止具３の両端をプリント基板２の表面に設けている接続導電部５に接触させて、止具３でプリント基板２の表面側の接続導電部５を電気接続する。
【００１０】
本発明の照明は、プリント基板２が、発光ダイオード１を固定している発光用のプリント基板２Ａと、発光ダイオード１を固定しない連結用のプリント基板２Ｂとを備え、発光ダイオード１を固定しているプリント基板２を、発光ダイオード１を固定していない連結用のプリント基板２Ｂで連結することができる。
【００１１】
本発明の照明は、発光ダイオード１を備えるプリント基板２に、複数の発光ダイオード１を固定することができる。
【００１２】
本発明の照明は、止具３が、止ネジ３Ａと、この止ネジ３Ａにねじ込まれるナット３Ｂを備えることができる。
【００１３】
本発明の照明は、複数のプリント基板２を文字や図形等の表示形状に配置している看板とすることも、複数のプリント基板２を連結している装飾用の照明とすることもできる。
【００１４】
本発明の照明は、複数のプリント基板２を物理的に連結して、接続導電部５を介して複数のプリント基板２を並列に接続することができる。
【００１５】
本発明の照明は、プリント基板２の両面に設けている接続導電部５を貫通孔４の周囲から絶縁して配置することができる。
【００１６】
さらに、本発明の照明は、２枚のプリント基板２を積層して物理的に連結すると共に、一対の接続導電部５を電気的に接続することができる。
【発明の効果】
【００１７】
本発明の照明は、極めて簡単な構造としながら、簡単かつ容易に、しかも接触不良を極減する状態で複数のプリント基板を物理的に連結しながら電気的に接続できる特長がある。それは、本発明の照明が、プリント基板に貫通孔を開口して、貫通孔の周囲であってプリント基板の両面に接続導電部を設けており、両面に設けている接続導電部は、少なくとも一方の接続導電部を貫通孔の内面から絶縁しており、さらに、両面に設けている一対の接続導電部をリード導電部を介して、発光ダイオードに接続して、一対の接続導電部から発光ダイオードに電力を供給するようにし、さらにまた、複数のプリント基板は貫通孔が一致するように積層されて、対向して接触される接続導電部を電気接続し、さらに、貫通孔に導電性のある止具を挿通して、止具で積層状態のプリント基板を物理的に連結し、また、止具の両端をプリント基板の表面に設けている接続導電部に接触させて、止具でプリント基板の表面側の接続導電部を電気接続するからである。
【００１８】
以上の構造でプリント基板を連結する照明は、貫通孔を同じ位置として積層して、貫通孔に止具を入れ、止具の両端の鍔部でプリント基板を挟着して、プリント基板を物理的に連結して、電気的に接続できる。このため、プリント基板を電気的に接続するためにコネクタやリード線を使用する必要がなく、使用部品を少なくしながら、簡単に電気的に接続できる。
【００１９】
さらに、本発明の照明は、止具で積層しているプリント基板を挟着して、物理的に連結しながら、電気的に接続するので、コネクタやリード線で接続する構造に比較して接触不良を極減できる特長がある。それは、コネクタが、金属の弾性変形を利用して接点を押圧して電気接続するのに対し、止具の鍔部でプリント基板を挟着して電気接続する構造は、たとえば止ネジやナットの止具、あるいはリベット等を止具でもって、確実に強い力で鍔部を接続導電部に押圧して電気接続できるからである。また、止具のナットは、強く止ネジにねじこんで押圧力を強くでき、またリベットは、強く押圧できるように叩いて変形することができるので、押圧力を調整して、より確実に電気接続して接触不良を極減できる。
【００２０】
さらにまた、接続導電部を強い力で押圧して電気接続できるので、接続部の接触抵抗を著しく小さくして、理想的な状態で接続できる特長も実現される。また、押圧状態で電気接続される接続導電部は、経時的に電気抵抗が増加したり、あるいは接触不良となるのも確実に阻止して、安定して長期間にわたって低い電気抵抗で接続できる特長もある。
【００２１】
また、プリント基板は、貫通孔の周囲に接続導電部を設けているので、プリント基板を、止具を中心に自由に回転させる姿勢で連結でき、連結方向が特定されない特長もある。このことは、たとえば、図４に示すように、多数のプリント基板を連結し、あるいは同じプリント基板を異なる状態で連結して、違う配列の照明とすることができるなど、同じプリント基板を使用して、種々の形状の照明を実現できる特長がある。
【００２２】
また、本発明の請求項２の照明は、発光ダイオードを設けている発光用のプリント基板を、発光ダイオードのない連結用のプリント基板を介して連結しているので、発光用のプリント基板に同じ回路構成のものを使用して、種々の組み合われの照明にできる特長がある。それは、互いに連結されるプリント基板の上下の接続導電部が極性が同じになるからである。
【発明を実施するための最良の形態】
【００２３】
以下、本発明の実施例を図面に基づいて説明する。ただし、以下に示す実施例は、本発明の技術思想を具体化するための照明を例示するものであって、本発明は照明を以下のものに特定しない。
【００２４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２５】
本発明の照明は、複数のプリント基板を、文字や図形等の表示形状に配置して看板として使用される。この照明は、複数のプリント基板を、文字や図形等を表示する形状に連結して、これをケースに収納して看板として使用する。また、本発明の照明は、複数のプリント基板を種々の平面的な形状に連結し、あるいは立体的な形状に連結して、装飾用の照明として使用される。
【００２６】
図４は装飾用の照明を示す。この照明は、細長い複数のプリント基板２の両端を互いに連結して、全体の形状を球形としている。この照明は、発光ダイオードを装着している細長いプリント基板２で三角形を形成するように、交点において５本または６本のプリント基板２を放射状に連結している。発光ダイオードを有する発光用のプリント基板２Ａは、図５に示すように６本を放射状に連結し、あるいは図示しないが、５本を放射状に連結している。発光用のプリント基板２Ａは、発光ダイオードを装着しない連結用のプリント基板２Ｂを介して、連結している。図５と図６に示すプリント基板２は、連結用のプリント基板２Ｂを介して発光用のプリント基板２Ａを連結している。ただ、本発明の照明は、連結用のプリント基板を介することなく、発光用のプリント基板を直接に連結することもできる。
【００２７】
複数のプリント基板２は、止具３を介して互いに物理的に連結され、さらに、止具３を介して電気的にも接続される。プリント基板２を電気的に接続するのは、接続部からプリント基板２に電力を供給して、プリント基板２に固定している発光ダイオード１に通電して発光させるためである。
【００２８】
プリント基板２は、止具３を介して連結できるように、止具３を挿通する貫通孔４を開口している。貫通孔４は、止具３を挿通できるように、止具３よりもわずかに大きい円形孔である。さらに、この止具３を介して物理的に連結される状態で、プリント基板２を電気的に接続するために、貫通孔４の周囲に接続導電部５を設けている。接続導電部５は、プリント基板２に電力を供給するために、プリント基板２の両面に設けている。プリント基板２の両面に設けている一対の接続導電部５は、正負の直流電力をプリント基板２に供給し、あるいは極性のない交流電力をプリント基板２に供給する。
【００２９】
プリント基板２の両面に設けている一対の接続導電部５は、正負の直流電力を供給し、あるいは極性のない交流電力を供給する。したがって、一対の接続導電部５が互いに接触すると短絡する。貫通孔４には導電性の止具３を挿通するので、この止具３が一対の接続導電部５に接触すると短絡する。したがって、プリント基板２の両面に設けている一対の接続導電部５は、一方又は両方を貫通孔４の内面から絶縁して配置している。図６のプリント基板２は、プリント基板２の両面に設けている接続導電部５を貫通孔４の内面から絶縁している。とくに、図に示すプリント基板２は、両面に設けている接続導電部５を、貫通孔４の周囲から絶縁して配置している。このプリント基板２は、貫通孔４の内面で両方の接続導電部５が止具３に接触せず、止具３による短絡を効果的に阻止できる。
【００３０】
発光用のプリント基板２Ａは、基板の両面に一対の接続導電部５を設けており、一対の接続導電部５を介して発光ダイオード１に電力を供給するようにしている。図５に示す発光用のプリント基板２Ａは、細長い基板の延長方向に複数の貫通孔４を開口しており、これらの貫通孔４の周囲にリング状の接続部５Ａを設けると共に、接続部５Ａの一部を連結リード部５Ｂで連結して接続導電部５としている。図５に示す発光用のプリント基板２Ａは、先端部に設けた貫通孔４を介して、連結用のプリント基板２Ｂに連結している。ただ、複数の貫通孔４を備える発光用のプリント基板２Ａは、中間部の貫通孔４を介して他のプリント基板に連結することもできる。図の発光用のプリント基板２Ａの両面に設けている接続部５Ａは、貫通孔４の周囲に設けられてなる円形のリング状である。ただ、接続部は、必ずしも円形リングとする必要はなく、図６に示すように、貫通孔４に挿通される止具３の両端の鍔部を接触できる大きさと形状とすることができる。
【００３１】
連結用のプリント基板２Ｂは、基板の両面に一対の接続導電部５を設けており、一対の接続導電部５に発光用のプリント基板２Ａの一対の接続導電部５をそれぞれ接続して、複数の発光用のプリント基板２Ａの同じ極性の接続導電部５同士を互いに電気接続する。図５に示す連結用のプリント基板２Ｂは、円形の基板の周縁部に複数の貫通孔４を開口しており、円形の基板の周縁部であって、貫通孔４の周囲を含む領域にリング状の接続導電部５を設けている。図に示す連結用のプリント基板２Ｂは、周縁部に６個の貫通孔４を設けて、６枚の発光用のプリント基板２Ａを放射状に連結している。ただ、連結用のプリント基板は、２〜５個、あるいは、７個以上の貫通孔を設けて、複数のプリント基板を連結することもできる。図に示すように、円形の基板の周縁部に複数の貫通孔４を設ける連結用のプリント基板２Ｂは、複数の発光用のプリント基板２Ａを放射状に連結するのに適している。ただ、連結用のプリント基板は、必ずしも全体の形状を円形とする必要はなく、種々形状として複数のプリント基板を連結することもできる。例えば、最も簡単な連結用のプリント基板として、図示しないが、長円形の基板の両面に一対の接続導電部を設けて、両端部に貫通孔を開口したものが使用できる。この連結用のプリント基板は、２枚の発光用のプリント基板を直線状に、または折曲した状態に、あるいはまた互いに平行に連結できる。
【００３２】
止具３は、止ネジ３Ａとナット３Ｂ、あるいは両端に鍔を設けたリベット等である。止具３は、貫通孔４に挿通されて、プリント基板２の表面において、プリント基板２を表面から押圧して連結できる鍔部のある導電性を有する全てのものとすることができる。止具３は、プリント基板２の接続導電部５を電気的に接続するための導電性を有する。したがって、止具３は、鉄、銅、シンチュウ、ステンレス等の金属で製作され、あるいは止具３は、金属表面を、亜鉛、銅、クローム等でメッキしたものとすることができる。
【００３３】
止ネジ３Ａとナット３Ｂからなる止具３は、止ネジ３Ａを積層したプリント基板２の貫通孔４に挿通し、ナット３Ｂを止ネジ３Ａにねじ込んで、プリント基板２を簡単に、しかも確実に連結できる。また、止ネジ３Ａとナット３Ｂは、ワッシャを介してプリント基板の表面を押圧し、あるいは、ワッシャを使用することなく、止ネジ３Ａの頭部とナット３Ｂでプリント基板２の表面を押圧する。ワッシャは、ナット側とプリント基板との間に、平ワッシャとスプリングワッシャを積層してスプリングワッシャでナットの緩みを防止しながら、平ワッシャを確実に接続導電部に電気接続できる。スプリングワッシャは、ナット側に、平ワッシャはプリント基板側に配置される。さらに、ワッシャに、内周縁に波形の凹凸を設けたスプリングワッシャを使用して、ナットの緩みを防止しながら、接続導電部との接触不良を極減できる。
【００３４】
リベットは、一端に鍔を設けた状態で、積層しているプリント基板の貫通孔に挿通し、その後、鍔のない先端を拡開して鍔を設け、両端の鍔でプリント基板を押圧して連結する。鍔は、プリント基板の接続導電部に電気的に接触される。リベットは、先端を拡開するように叩いて、簡単に確実に積層しているプリント基板を物理的に連結して、電気的に接続できる。
【００３５】
止具３が止ネジ３Ａとナット３Ｂである場合、接続導電部５は、止ネジ３Ａの頭部やナット３Ｂに接触し、あるいは止ネジに挿通されるワッシャ等に接触できる大きさの円形リング状としている。止具３は、導電性があって、止ネジ３Ａとナット３Ｂのように、両端に鍔のある全てのもの、たとえば、リベット等も使用できる。
【００３６】
さらに、発光用のプリント基板２Ａは、表面にリード導電部６を設けて、このリード導電部６でもって、一対の接続導電部５を発光ダイオード１の接続端子に接続している。この発光用のプリント基板２Ａは、一対の接続導電部５から発光ダイオード１に正負の電力を供給して、発光ダイオード１を点灯する。発光用のプリント基板２Ａは、ひとつの、あるいは複数の発光ダイオード１を固定している。複数の発光ダイオード１を装着している発光用のプリント基板２Ａの回路図を図７に示す。この回路図に示す発光用のプリント基板２Ａは、１０個の発光ダイオード１を固定している。発光ダイオード１は、リード導電部６を介して５個を直列に接続したものを並列に接続して接続導電部５に連結している。発光ダイオード１は、リード導電部６を介して直列に、また並列に接続されて接続導電部５に連結される。この回路図に示すように、複数の発光ダイオード１を直列に接続している発光用のプリント基板２Ａは、接続導電部５の供給電圧を高くすることができる。発光用のプリント基板２Ａは、図８に示すように、供給電圧を一定の電圧に安定化する定電圧回路７を設け、この定電圧回路７で供給電圧を一定にして発光ダイオード１に供給することもできる。また、図９に示すように、電流制限抵抗８を介して発光ダイオード１を接続導電部５に接続することもできる。
【００３７】
さらに、図１０の回路図に示す発光用のプリント基板２Ａは、接続導電部５に発光ダイオード１を点灯する電源回路９を接続している。電源回路９は、整流用のダイオード１０と平滑用コンデンサ１１を備える。平滑用コンデンサ１１は、整流用のダイオード１０を介して入力側の接続部５Ａに接続される。平滑用コンデンサ１１は、一対の接続導電部５の入力電圧が０Ｖになる状態で、平滑用コンデンサ１１の電圧が低下するのを阻止する。平滑用コンデンサ１１は、接続導電部５の入力電圧が一時的に低下するときに、出力電圧が低下するのを保持する。この電源回路９は、図示しないが、平滑用コンデンサの出力に、出力電圧を一定に制御する定電圧回路を設けて、発光ダイオードを一定の明るさに点灯することができる。
【００３８】
さらに、図１０の回路図に示す発光用のプリント基板２Ａは、接続導電部５に制御回路１２を接続している。制御回路１２は、一対の接続導電部５に入力される制御信号を検出して、発光用のプリント基板２Ａに実装している発光ダイオード１の点滅をコントロールする。制御回路１２が発光ダイオード１の点灯を制御するために、発光ダイオード１はスイッチング素子１３を介して電源回路９に接続している。発光ダイオード１は、直列に接続しているスイッチング素子１３がオンに切り換えられる状態で点灯して、オフに切り換えられる状態で消灯される。
【００３９】
この回路図に示すプリント基板２は、発光ダイオード１の点滅をコントロールする制御信号を接続導電部５から入力して、発光ダイオード１の点滅をコントロールできる。制御信号は、一対の接続導電部５に供給する電圧を、”Ｈｉｇｈ”と”Ｌｏｗ”に切り換えるパルス信号である。接続導電部５に、”Ｈｉｇｈ”と”Ｌｏｗ”に切り換えられるパルス信号の制御信号が入力されると、この信号を制御回路１２が検出して、発光ダイオード１の点滅をコントロールする。発光ダイオード１の電源回路９は、接続導電部５に入力される電圧が”Ｈｉｇｈ”と”Ｌｏｗ”に切り換えられると、”Ｈｉｇｈ”のときに平滑用コンデンサ１１をチャージして、出力電圧を一定に保持する。
【００４０】
この回路構成のプリント基板２は、信号端子を設けることなく、発光用のプリント基板２Ａに実装する発光ダイオード１の点滅をコントロールできる。
【００４１】
プリント基板２の連結構造を図５と図６に示す。これ等の図に示す連結構造は、連結用のプリント基板２Ｂに発光用のプリント基板２Ａを連結する構造を示している。連結されるプリント基板２は、貫通孔４を一致するように積層して、対向して接触される接続導電部５を電気接続する。さらに、貫通孔４に導電性のある止具３を挿通して、止具３で積層しているプリント基板２を物理的に連結する。さらに、止具３の両端をプリント基板２の表面に設けている接続導電部５に接触させて、止具３でプリント基板２の非対向面である表面側の接続導電部５を電気接続する。
【００４２】
図５と図６の連結構造は、発光用のプリント基板２Ａを連結用のプリント基板２Ｂを介して連結している。この連結構造は、連結用のプリント基板２Ｂで連結される発光用のプリント基板２Ａの上面と下面の極性を同じにできる。たとえば、連結される２枚のプリント基板２は、上面の接続導電部５が正極で、下面が負極となり、あるいは反対に上面の接続導電部が負極で、下面が正極となる。したがって、連結用のプリント基板２Ｂを介して連結されるプリント基板２は、全く同じ回路構成のものを使用できる。
【００４３】
ただし、本発明の照明は、２枚のプリント基板を積層して同じ連結構造で連結することができる。この連結構造で上下に積層される２枚のプリント基板は、上下の接続導電部の極性が互いに反転する。上面のプリント基板が上面の接続導電部を正極、下面を負極とするとき、下面のプリント基板は、上面の接続導電部を負極、下面を正極とするようになる。したがって、上下に積層して連結するプリント基板は、接続導電部の極性を反対にするものを使用する。
【００４４】
さらに、プリント基板は、図１１に示すように、偶数枚を積層して連結することができる。偶数枚のプリント基板２は、貫通孔４を同じ位置に配置して積層され、貫通孔４に止ネジ３Ａ等の止具３が挿通される。止具３である止ネジ３Ａにナット３Ｂをねじこんで、積層しているプリント基板２を物理的に連結し、かつ、接続導電部５を電気的に接続できる。偶数枚のプリント基板２が積層されると、最も外側の接続導電部５は同じ極性となる。積層面で互いに接触する接続導電部５は、同じ極性となって電気的に接続される。したがって、偶数枚のプリント基板２を積層して、外側の接続導電部５を止具３で連結して、全てのプリント基板２を電気的に接続できる。
【００４５】
４枚以上のプリント基板を積層して、止具で連結する連結構造も、上下に積層されるプリント基板は、接続導電部の極性が上下で反転する。したがって、上下に積層するプリント基板には、接続導電部の極性を反転したものを使用する。
【００４６】
図１２は、接続導電部５から交流を供給して発光ダイオード１を点灯する発光用のプリント基板２Ａの回路図を示す。この発光用のプリント基板２Ａは、接続導電部５から入力される交流を整流用のダイオード１０で整流し、整流された脈流を平滑用コンデンサ１１で平滑な直流として発光ダイオード１を点灯する。平滑用コンデンサ１１の出力側には、図示しないが、出力電圧を一定にする定電圧回路を設けることができる。定電圧回路の出力側に発光ダイオード１を接続して点灯する。この回路構成のプリント基板２は、接続導電部５に交流を入力するので、一対の接続導電部５に極性がない。したがって、同じ回路構成の発光用のプリント基板２Ａを積層して連結して、発光ダイオード１を点灯できる。
【図面の簡単な説明】
【００４７】
【図１】従来のプリント基板の連結構造の一例を示す断面図である。
【図２】従来の照明の一例を示す斜視図である。
【図３】図２に示す照明の端部の連結構造を示す拡大断面図である。
【図４】本発明の一実施例にかかる照明を示す斜視図である。
【図５】複数のプリント基板の連結構造の一例を示す斜視図である。
【図６】図５に示すプリント基板の連結構造の断面図である。
【図７】発光用のプリント基板の一例を示す回路図である。
【図８】発光用のプリント基板の他の一例を示す回路図である。
【図９】発光用のプリント基板の他の一例を示す回路図である。
【図１０】発光用のプリント基板の他の一例を示す回路図である。
【図１１】複数のプリント基板の連結構造の他の一例を示す断面図である。
【図１２】発光用のプリント基板の他の一例を示す回路図である。
【符号の説明】
【００４８】
１…発光ダイオード
２…プリント基板            ２Ａ…発光用のプリント基板
２Ｂ…連結用のプリント基板
３…止具                    ３Ａ…止ネジ
３Ｂ…ナット
４…貫通孔
５…接続導電部              ５Ａ…接続部
５Ｂ…連結リード部
６…リード導電部
７…定電圧回路
８…電流制限抵抗
９…電源回路
１０…整流用のダイオード
１１…平滑用コンデンサ
１２…制御回路
１３…スイッチング素子
２１…発光ダイオード        ２１Ａ…リード
２２…プリント基板
３０…照明
３１…ＬＥＤ
３２…プリント基板
３３…細長管
３４…ブッシング
３５…口金具                ３５Ａ…金属製胴体
３５Ｂ…電極ピン
３５Ｃ…絶縁円板
【図１】
2006024416.tif 000003
【図２】
2006024416.tif 000004
【図３】
2006024416.tif 000005
【図４】
2006024416.tif 000006
【図５】
2006024416.tif 000007
【図６】
2006024416.tif 000008
【図７】
2006024416.tif 000009
【図８】
2006024416.tif 000010
【図９】
2006024416.tif 000011
【図１０】
2006024416.tif 000012
【図１１】
2006024416.tif 000013
【図１２】
2006024416.tif 000014